(57)【要約】【課題】セキュリティを確保しつつ、中断された印刷の再開から印刷結果を取得するまでの待ち時間を削減することが可能である印刷装置、印刷方法および印刷プログラムを提供する。【解決手段】排紙された用紙を取り出し自在に構成される第１容器３４８Ｂと、排紙された用紙の取り出しを防止するロックを有する第２容器３４８Ａと、を有する印刷装置３００であって、セキュリティ印刷データが含まれる印刷ジョブを受信する受信部３２５と、ユーザを認証するための認証部３８０と、ユーザの認証が受理された場合にセキュリティ印刷データを用紙に印刷する印刷部３４６と、ユーザからの印刷中断指示が入力される入力部３６０と、印刷中断指示が入力された場合、印刷された用紙の排紙先を第１容器３４８Ｂから第２容器３４８Ａに切り替える排出先制御部３２１と、を有しており、第２容器３４８Ａのロックは、印刷中断指示の入力後におけるユーザの再度の認証が受理された場合に解除される。【選択図】図４
2012061686.tif 000002
【特許請求の範囲】
【請求項１】
排紙された用紙を取り出し自在に構成される第１容器と、排紙された用紙の取り出しを防止するロックを有する第２容器と、を有する印刷装置であって、
セキュリティ印刷データが含まれる印刷ジョブを受信する受信部と、
ユーザを認証するための認証部と、
前記ユーザの認証が受理された場合に前記セキュリティ印刷データを用紙に印刷する印刷部と、
前記ユーザからの印刷中断指示が入力される入力部と、
前記印刷中断指示が入力された場合、印刷された用紙の排紙先を前記第１容器から前記第２容器に切り替える排出先制御部と、を有しており、
前記第２容器のロックは、前記印刷中断指示の入力後における前記ユーザの再度の認証が受理された場合に解除される
ことを特徴とする印刷装置。
【請求項２】
前記第２容器の空き状況を検出する装置状態チェック部をさらに有することを特徴とする請求項１に記載の印刷装置。
【請求項３】
前記印刷中断指示が入力された場合において、印刷された用紙の排紙先を前記第１容器から前記第２容器に切り替えるか、あるいは印刷を中止して前記印刷ジョブを削除するかのユーザの選択を受け付けるための処理選択画面が表示される表示部をさらに有することを特徴とする請求項１に記載の印刷装置。
【請求項４】
前記表示部による前記処理選択画面の表示中において、印刷は一時的に中断されることを特徴とする請求項３に記載の印刷装置。
【請求項５】
前記第２容器の空き状況を検出する装置状態チェック部をさらに有し、
前記表示部は、印刷された用紙の排紙先を前記第１容器から前記第２容器に切り替えることをユーザが選択した場合において、印刷された用紙の排紙先を、前記検出部によって空いていることが検出された第２容器に切り替えるか、あるいは印刷を中断するかのユーザの選択を受け付けるための詳細選択画面をさらに有している
ことを特徴とする請求項３又は請求項４に記載の印刷装置。
【請求項６】
前記詳細選択画面の表示中において、印刷は一時的に中断されることを特徴とする請求項５に記載の印刷装置。
【請求項７】
排紙された用紙を取り出し自在に構成される第１容器と、排紙された用紙の取り出しを防止するロックを有する第２容器と、を有する印刷装置に適用される印刷方法であって、
セキュリティ印刷データが含まれる印刷ジョブを受信するステップ（Ａ）と、
ユーザを認証するステップ（Ｂ）と、
前記ユーザの認証が受理された場合に前記セキュリティ印刷データを用紙に印刷するステップ（Ｃ）と、
前記ユーザからの印刷中断指示が入力されるステップ（Ｄ）と、
前記印刷中断指示が入力された場合、印刷された用紙の排紙先を前記第１容器から前記第２容器に切り替えるステップ（Ｅ）と、
前記印刷中断指示の入力後における前記ユーザの再度の認証が受理された場合、前記第２容器のロックを解除するステップ（Ｆ）と、
を有することを特徴とする印刷方法。
【請求項８】
前記第２容器の空き状況を検出するステップ（Ｇ）をさらに有することを特徴とする請求項７に記載の印刷方法。
【請求項９】
前記印刷中断指示が入力された場合において、印刷された用紙の排紙先を前記第１容器から前記第２容器に切り替えるか、あるいは印刷を中止して前記印刷ジョブを削除するかのユーザの選択を受け付けるための処理選択画面を表示するステップ（Ｈ）をさらに有することを特徴とする請求項７に記載の印刷方法。
【請求項１０】
前記ステップ（Ｈ）における前記処理選択画面の表示中において、印刷は一時的に中断されることを特徴とする請求項９に記載の印刷方法。
【請求項１１】
前記第２容器の空き状況を検出するステップ（Ｇ）と、
前記ステップ（Ｈ）において、印刷された用紙の排紙先を前記第１容器から前記第２容器に切り替えることをユーザが選択した場合において、印刷された用紙の排紙先を、前記検出ステップによって空いていることが検出された第２容器に切り替えるか、あるいは印刷を中断するかのユーザの選択を受け付けるための詳細選択画面を表示するステップ（Ｉ）と、
をさらに有することを特徴とする請求項９又は請求項１０に記載の印刷方法。
【請求項１２】
前記ステップ（Ｉ）における前記詳細選択画面の表示中において、印刷は一時的に中断されることを特徴とする請求項１１に記載の印刷方法。
【請求項１３】
排紙された用紙を取り出し自在に構成される第１容器と、排紙された用紙の取り出しを防止するロックを有する第２容器と、を有する印刷装置を制御する印刷プログラムであって、
セキュリティ印刷データが含まれる印刷ジョブを受信する手順（Ａ）と、
ユーザを認証する手順（Ｂ）と、
前記ユーザの認証が受理された場合に前記セキュリティ印刷データを用紙に印刷する手順（Ｃ）と、
前記ユーザからの印刷中断指示が入力される手順（Ｄ）と、
前記印刷中断指示が入力された場合、印刷された用紙の排紙先を前記第１容器から前記第２容器に切り替える手順（Ｅ）と、
前記印刷中断指示の入力後における前記ユーザの再度の認証が受理された場合、前記第２容器のロックを解除する手順（Ｆ）と、
を有する処理を、前記印刷装置に実行させることを特徴とする印刷プログラム。
【請求項１４】
前記処理は、前記第２容器の空き状況を検出する手順（Ｇ）をさらに有することを特徴とする請求項１３に記載の印刷プログラム。
【請求項１５】
前記処理は、前記印刷中断指示が入力された場合において、印刷された用紙の排紙先を前記第１容器から前記第２容器に切り替えるか、あるいは印刷を中止して前記印刷ジョブを削除するかのユーザの選択を受け付けるための処理選択画面を表示する手順（Ｈ）をさらに有することを特徴とする請求項１３に記載の印刷プログラム。
【請求項１６】
前記手順（Ｈ）における前記処理選択画面の表示中において、印刷は一時的に中断されることを特徴とする請求項１５に記載の印刷プログラム。
【請求項１７】
前記処理は、
前記第２容器の空き状況を検出する手順（Ｇ）と、
前記手順（Ｈ）において、印刷された用紙の排紙先を前記第１容器から前記第２容器に切り替えることをユーザが選択した場合において、印刷された用紙の排紙先を、前記手順（Ｇ）によって空いていることが検出された第２容器に切り替えるか、あるいは印刷を中断するかのユーザの選択を受け付けるための詳細選択画面を表示する手順（Ｉ）と、
をさらに有することを特徴とする請求項１５又は請求項１６に記載の印刷プログラム。
【請求項１８】
前記手順（Ｉ）における前記詳細選択画面の表示中において、印刷は一時的に中断されることを特徴とする請求項１７に記載の印刷プログラム。
【発明の詳細な説明】
【技術分野】
【０００１】
本発明は、印刷装置、印刷方法および印刷プログラムに関する。
【背景技術】
【０００２】
複数のユーザで共有される印刷装置は、印刷結果を第三者に見られることを防止するために、セキュリティ印刷機能が搭載されている。セキュリティ印刷においては、ユーザ認証が印刷装置によって受理された場合に印刷を実行することにより、情報の漏洩を防止している。一方、ユーザは、セキュリティ確保の観点より、印刷が終了するまで印刷装置から離れることはできず、例えば、急用により印刷途中で印刷装置から離れる場合、印刷を途中でキャンセルし、急用を済ました後、印刷を最初から再開し、全てのページを印刷することが必要であり、作業性に問題を有していた。
【０００３】
そのため、印刷を途中で中断し、そして中断事由が解消した後、印刷を中断箇所（中断していたページ）から再開することにより、全てのページを印刷する場合に比較し、印刷結果（残ページ）を取得するまでの待ち時間を削減し、作業性を向上させている（例えば、特許文献１および特許文献２参照。）。
【先行技術文献】
【特許文献】
【０００４】
【特許文献１】特開２００５−２３６３５７
【特許文献２】特開２００５−１６１８４１
【発明の概要】
【発明が解決しようとする課題】
【０００５】
しかし、中断期間が如何に長くとも、印刷装置の前に戻った際に印刷結果を直ちに取得することができず、印刷の再開から印刷結果を取得するまでの待ち時間を削減することが困難である問題を有していた。一方、ユーザ認証が不要である通常印刷の場合、かかる待ち時間は発生しないが、セキュリティを確保することができず、情報漏洩に対する対策が不徹底となる虞がある。
【０００６】
本発明は、上記従来技術に伴う課題を解決するためになされたものであり、セキュリティを確保しつつ、中断された印刷の再開から印刷結果を取得するまでの待ち時間を削減することが可能である印刷装置、印刷方法および印刷プログラムを提供することを目的とする。
【課題を解決するための手段】
【０００７】
本発明の上記目的は、下記の手段によって達成される。
【０００８】
（１）排紙された用紙を取り出し自在に構成される第１容器と、排紙された用紙の取り出しを防止するロックを有する第２容器と、を有する印刷装置であって、
セキュリティ印刷データが含まれる印刷ジョブを受信する受信部と、
ユーザを認証するための認証部と、
前記ユーザの認証が受理された場合に前記セキュリティ印刷データを用紙に印刷する印刷部と、
前記ユーザからの印刷中断指示が入力される入力部と、
前記印刷中断指示が入力された場合、印刷された用紙の排紙先を前記第１容器から前記第２容器に切り替える排出先制御部と、を有しており、
前記第２容器のロックは、前記印刷中断指示の入力後における前記ユーザの再度の認証が受理された場合に解除される
ことを特徴とする印刷装置。
【０００９】
（２）前記第２容器の空き状況を検出する装置状態チェック部をさらに有することを特徴とする上記（１）に記載の印刷装置。
【００１０】
（３）前記印刷中断指示が入力された場合において、印刷された用紙の排紙先を前記第１容器から前記第２容器に切り替えるか、あるいは印刷を中止して前記印刷ジョブを削除するかのユーザの選択を受け付けるための処理選択画面が表示される表示部をさらに有することを特徴とする上記（１）に記載の印刷装置。
【００１１】
（４）前記表示部による前記処理選択画面の表示中において、印刷は一時的に中断されることを特徴とする上記（３）に記載の印刷装置。
【００１２】
（５）前記第２容器の空き状況を検出する装置状態チェック部をさらに有し、
前記表示部は、印刷された用紙の排紙先を前記第１容器から前記第２容器に切り替えることをユーザが選択した場合において、印刷された用紙の排紙先を、前記検出部によって空いていることが検出された第２容器に切り替えるか、あるいは印刷を中断するかのユーザの選択を受け付けるための詳細選択画面をさらに有している
ことを特徴とする上記（３）又は上記（４）に記載の印刷装置。
【００１３】
（６）前記詳細選択画面の表示中において、印刷は一時的に中断されることを特徴とする上記（５）に記載の印刷装置。
【００１４】
（７）排紙された用紙を取り出し自在に構成される第１容器と、排紙された用紙の取り出しを防止するロックを有する第２容器と、を有する印刷装置に適用される印刷方法であって、
セキュリティ印刷データが含まれる印刷ジョブを受信するステップ（Ａ）と、
ユーザを認証するステップ（Ｂ）と、
前記ユーザの認証が受理された場合に前記セキュリティ印刷データを用紙に印刷するステップ（Ｃ）と、
前記ユーザからの印刷中断指示が入力されるステップ（Ｄ）と、
前記印刷中断指示が入力された場合、印刷された用紙の排紙先を前記第１容器から前記第２容器に切り替えるステップ（Ｅ）と、
前記印刷中断指示の入力後における前記ユーザの再度の認証が受理された場合、前記第２容器のロックを解除するステップ（Ｆ）と、
を有することを特徴とする印刷方法。
【００１５】
（８）前記第２容器の空き状況を検出するステップ（Ｇ）をさらに有することを特徴とする上記（７）に記載の印刷方法。
【００１６】
（９）前記印刷中断指示が入力された場合において、印刷された用紙の排紙先を前記第１容器から前記第２容器に切り替えるか、あるいは印刷を中止して前記印刷ジョブを削除するかのユーザの選択を受け付けるための処理選択画面を表示するステップ（Ｈ）をさらに有することを特徴とする上記（７）に記載の印刷方法。
【００１７】
（１０）前記ステップ（Ｈ）における前記処理選択画面の表示中において、印刷は一時的に中断されることを特徴とする上記（９）に記載の印刷方法。
【００１８】
（１１）前記第２容器の空き状況を検出するステップ（Ｇ）と、
前記ステップ（Ｈ）において、印刷された用紙の排紙先を前記第１容器から前記第２容器に切り替えることをユーザが選択した場合において、印刷された用紙の排紙先を、前記検出ステップによって空いていることが検出された第２容器に切り替えるか、あるいは印刷を中断するかのユーザの選択を受け付けるための詳細選択画面を表示するステップ（Ｉ）と、
をさらに有することを特徴とする上記（９）又は上記（１０）に記載の印刷方法。
【００１９】
（１２）前記ステップ（Ｉ）における前記詳細選択画面の表示中において、印刷は一時的に中断されることを特徴とする上記（１１）に記載の印刷方法。
【００２０】
（１３）排紙された用紙を取り出し自在に構成される第１容器と、排紙された用紙の取り出しを防止するロックを有する第２容器と、を有する印刷装置を制御する印刷プログラムであって、
セキュリティ印刷データが含まれる印刷ジョブを受信する手順（Ａ）と、
ユーザを認証する手順（Ｂ）と、
前記ユーザの認証が受理された場合に前記セキュリティ印刷データを用紙に印刷する手順（Ｃ）と、
前記ユーザからの印刷中断指示が入力される手順（Ｄ）と、
前記印刷中断指示が入力された場合、印刷された用紙の排紙先を前記第１容器から前記第２容器に切り替える手順（Ｅ）と、
前記印刷中断指示の入力後における前記ユーザの再度の認証が受理された場合、前記第２容器のロックを解除する手順（Ｆ）と、
を有する処理を、前記印刷装置に実行させることを特徴とする印刷プログラム。
【００２１】
（１４）前記処理は、前記第２容器の空き状況を検出する手順（Ｇ）をさらに有することを特徴とする上記（１３）に記載の印刷プログラム。
【００２２】
（１５）前記処理は、前記印刷中断指示が入力された場合において、印刷された用紙の排紙先を前記第１容器から前記第２容器に切り替えるか、あるいは印刷を中止して前記印刷ジョブを削除するかのユーザの選択を受け付けるための処理選択画面を表示する手順（Ｈ）をさらに有することを特徴とする上記（１３）に記載の印刷プログラム。
【００２３】
（１６）前記手順（Ｈ）における前記処理選択画面の表示中において、印刷は一時的に中断されることを特徴とする上記（１５）に記載の印刷プログラム。
【００２４】
（１７）前記処理は、
前記第２容器の空き状況を検出する手順（Ｇ）と、
前記手順（Ｈ）において、印刷された用紙の排紙先を前記第１容器から前記第２容器に切り替えることをユーザが選択した場合において、印刷された用紙の排紙先を、前記手順（Ｇ）によって空いていることが検出された第２容器に切り替えるか、あるいは印刷を中断するかのユーザの選択を受け付けるための詳細選択画面を表示する手順（Ｉ）と、
をさらに有することを特徴とする上記（１５）又は上記（１６）に記載の印刷プログラム。
【００２５】
（１８）前記手順（Ｉ）における前記詳細選択画面の表示中において、印刷は一時的に中断されることを特徴とする上記（１７）に記載の印刷プログラム。
【発明の効果】
【００２６】
本発明に係る印刷装置、印刷方法および印刷プログラムによれば、印刷中断指示が入力された場合、排紙先が切り替えられ後で用紙の印刷は継続される。つまり、印刷中断指示の入力からユーザの再度の認証までの中断期間においも、印刷は継続されているため、ユーザの再度の認証後に印刷を再開する場合に比較し、印刷結果（残ページ）を取得するまでの待ち時間を削減することができる。また、印刷中断指示の入力後において印刷された用紙は、ロックを有する第２容器に排紙されるため、例えば、印刷結果を第三者に見られたり、第三者に盗まれたりすることはなく、セキュリティが確保される。したがって、セキュリティを確保しつつ、中断された印刷の再開から印刷結果を取得するまでの待ち時間を削減することが可能である印刷装置を提供することができる。
【図面の簡単な説明】
【００２７】
【図１】本発明の実施の形態に係る印刷システムを説明するための全体構成図である。
【図２】図１に示されるクライアントを説明するためのブロック図である。
【図３】図１に示される印刷装置を説明するための側面図である。
【図４】図１に示される印刷装置を説明するためのブロック図である。
【図５】図４に示される操作パネル部のディスプレイに表示される残ページ処理選択画面を説明するための平面図である。
【図６】図４に示される操作パネル部のディスプレイに表示される詳細選択画面を説明するための平面図である。
【図７】図４に示される操作パネル部のディスプレイに表示され排紙先変更確認画面を説明するための平面図である。
【図８】図４に示される操作パネル部のディスプレイに表示される印刷処理中断確認画面を説明するための平面図である。
【図９Ａ】本発明の実施の形態に係るセキュリティ印刷処理の一部を説明するためのフローチャートである。
【図９Ｂ】本発明の実施の形態に係るセキュリティ印刷処理の残部を説明するためのフローチャートである。
【発明を実施するための形態】
【００２８】
以下、本発明の実施の形態を、図面を参照しつつ説明する。
【００２９】
図１は、本発明の実施の形態に係る印刷システムを説明するための全体構成図である。
【００３０】
本発明の実施の形態に係る印刷システム１００は、クライアント２００と、印刷装置３００と、クライアント２００と印刷装置３００とを接続するためのネットワーク４００と、を有する。
【００３１】
クライアント２００は、セキュリティ印刷データが含まれる印刷ジョブを印刷装置３００に送信するために使用される印刷データ生成装置である。印刷装置３００は、例えば、コピー機能、プリンタ機能およびスキャン機能を有するＭＦＰ（Ｍｕｌｔｉ−Ｆｕｎｃｔｉｏｎ  Ｐｅｒｉｐｈｅｒａｌ）からなる画像形成装置である。
【００３２】
ネットワーク４００は、イーサネット（登録商標）、トークンリング、およびＦＤＤＩ（Ｆｉｂｅｒ−Ｄｉｓｔｒｉｂｕｔｅｄ  Ｄａｔａ  Ｉｎｔｅｒｆａｃｅ）等の規格によりコンピュータやネットワーク機器同士を接続する構内情報通信網（ＬＡＮ：Ｌｏｃａｌ  Ａｒｅａ  Ｎｅｔｗｏｒｋ）、ＬＡＮ同士を専用線で接続した広域情報通信網（ＷＡＮ：Ｗｉｄｅ  Ａｒｅａ  Ｎｅｔｗｏｒｋ）、インターネット、これらの組み合わせ等の各種のネットワークからなる。ネットワークプロトコルは、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）である。ネットワーク４００に接続される機器の種類および台数は、図１に示される構成に限定されない。
【００３３】
次に、クライアント２００を詳述する。
【００３４】
図２は、図１に示されるクライアントを説明するためのブロック図である。
【００３５】
クライアント２００は、本体部２２０、ディスプレイ２４０、入力装置２６０およびＩＣカードリーダ２８０を有するコンピュータ装置によって構成される。
【００３６】
本体部２２０は、制御部２２１、ＲＯＭ２２２、ＲＡＭ２２３、ハードディスク（ＨＤＤ）２２４および通信インターフェース２２５を有し、これらは、バス２２６を経由して相互に接続されている。
【００３７】
制御部２２１は、プログラムにしたがって上記各部の制御や各種の演算処理を実行するマイクロプロセッサ等から構成される制御回路であり、クライアント２００の各機能は、それに対応するプログラムを制御部２２１が実行することにより発揮される。ＲＯＭ２２２は、各種プログラムおよび各種データを保存する読取り専用の記憶装置である。ＲＡＭ２２３は、作業領域として一時的にプログラムおよびデータを記憶する高速のランダムアクセス記憶装置（主記憶装置）である。
【００３８】
ＨＤＤ２２４は、ＯＳ（オペレーティングシステム）、アプリケーションソフトウェア、プリンタドライバを含む各種プログラムや各種データを保存する大容量のランダムアクセス記憶装置（補助記憶装置）である。保存されているプログラムは、制御部２２１により必要に応じて読み出され、ＲＡＭ２２３上で実行される。ＲＯＭ２２２に保存されるプログラムやデータの一部を、必要に応じてＨＤＤ２２４に保存することも可能である。
【００３９】
アプリケーションソフトウェアは、電子文書を作成するための文書作成プログラムである。電子文書の規格は、ＸＰＳ（ＸＭＬ  Ｐａｐｅｒ  Ｓｐｅｃｉｆｉｃａｔｉｏｎ）や、ＰＤＦ（Ｐｏｒｔａｂｌｅ  Ｄｏｃｕｍｅｎｔ  Ｆｏｒｍａｔ）等である。プリンタドライバは、印刷装置３００が対応可能な記述言語形式による印刷データを作成し、これを印刷ジョブとしてネットワーク４００を介して印刷装置３００に送信するために使用され、セキュリティ印刷を指定可能に構成されている。
【００４０】
セキュリティ印刷は、ユーザ認証が印刷装置３００によって受理された場合に印刷を実行することにより、情報の漏洩を防止するためのものであり、印刷装置３００に送信される印刷ジョブには、印刷ジョブ（印刷データ）を作成したユーザの認証情報が含まれている。認証情報は、ユーザ属性情報およびパスワード情報である。ユーザ属性情報は、例えば、所属情報、階層情報、年齢、性別、ＩＤ番号である。所属情報は、例えば、会社名、支店名、部署（部門）名である。階層情報は、役員、部長、課長、係長などの会社組織内における職級である。
【００４１】
記述言語形式は、例えば、ＰｏｓｔＳｃｒｉｐｔ（登録商標）やＰＣＬ（Ｐｒｉｎｔｅｒ  Ｃｏｎｔｒｏｌ  Ｌａｎｇｕａｇｅ）等のＰＤＬ（ページ記述言語：Ｐａｇｅ  Ｄｅｓｃｒｉｐｔｉｏｎ  Ｌａｎｇｕａｇｅ）である。
【００４２】
通信インターフェース２２５は、所謂ＬＡＮボードからなる通信部であり、ネットワーク４００を経由して印刷装置３００に接続し、データの送受信を実行するための通信機能をクライアント２００に追加する拡張装置である。
【００４３】
ディスプレイ２４０は、例えば、ＣＲＴ（Ｃａｔｈｏｄｅ  Ｒａｙ  Ｔｕｂｅ）ディスプレイあるいはＬＣＤ（Ｌｉｑｕｉｄ  Ｃｒｙｓｔａｌ  Ｄｉｓｐｌａｙ）であり、各種の情報を表示するために使用される。入力装置２６０は、キーボードとマウス等のポインティングデバイスとを有し、各種の入力を行うために使用される。
【００４４】
ＩＣカードリーダ２８０は、セキュリティ印刷のユーザ認証に利用されるＩＣカード（認証カード）に記憶されている認証情報を読み取るために使用される。ＩＣカードは、例えば、印刷装置３００のユーザに配布されており、セキュリティ印刷データ（印刷ジョブ）を作成中、ＩＣカードリーダ２８０に挿入される。認証情報の読み取りは、例えば、ＩＣカードリーダ２８０とＩＣカードとの間の無線通信により、非接触に実行される。
【００４５】
なお、パスワード情報をＩＣカードに記憶させず、ユーザが入力装置２６０を使用して直接入力するように構成したり、ＩＣカードを利用せず、ユーザ属性情報およびパスワード情報をユーザが入力装置２６０を使用して直接入力したりするように構成し、ＩＣカードリーダ２８０を不要とすることも可能である。また、ユーザ属性情報およびパスワード情報の一方のみを認証に利用することも可能である。
【００４６】
次に、印刷装置３００を詳述する。
【００４７】
図３および図４は、図１に示される印刷装置を説明するための側面図およびブロック図、図５、図６、図７および図８は、図４に示される操作パネル部のディスプレイに表示される残ページ処理選択画面、詳細選択画面、排紙先変更確認画面および印刷処理中断確認画面を説明するための平面図である。
【００４８】
印刷装置３００は、クライアント２００からの印刷ジョブをネットワーク４００経由で受信し、当該印刷ジョブの内容に従って印刷処理を実行する機器であり、制御部３２１、ＲＯＭ３２２、ＲＡＭ３２３、ハードディスク（ＨＤＤ）３２４、通信インターフェース３２５、原稿自動送り装置３４０、画像読取部３４２、給紙部３４４、画像形成部３４６、用紙排出部３４８、操作パネル部３６０およびＩＣカードリーダ３８０を有し、これらは、バス３２６を経由して相互に接続されている。
【００４９】
制御部３２１は、プログラムにしたがって上記各部の制御や各種の演算処理を実行するマイクロプロセッサ等から構成される制御回路であり、印刷装置３００の各機能は、それに対応するプログラムを制御部３２１が実行することにより発揮される。ＲＯＭ３２２は、各種プログラムおよび各種データを保存する読取り専用の記憶装置である。ＲＡＭ３２３は、作業領域として一時的にプログラムおよびデータを記憶する高速のランダムアクセス記憶装置である。
【００５０】
ＨＤＤ３２４は、ＯＳやプリンタドライバを含む各種プログラムや各種データを保存する大容量のランダムアクセス記憶装置である。保存されているプログラムは、制御部３２１により必要に応じて読み出され、ＲＡＭ３２３上で実行処理される。
【００５１】
保存されているプログラムは、ＲＩＰ処理（ラスタライズ処理：Ｒａｓｔｅｒ  Ｉｍａｇｅ  Ｐｒｏｃｅｓｓｉｎｇ）、セキュリティ印刷処理、ネットワーク通信処理のためのプログラムが含まれる。保存されているデータは、画像読取部３４２から転送された画像データや、クライアント２００から送信された画像データ（印刷ジョブ）等である。
【００５２】
ＲＩＰ処理は、クライアント２００からの印刷ジョブに含まれる画像データを、画像形成部３４６で用いるラスターイメージデータに変換する処理である。セキュリティ印刷処理は、ジョブ制御部、装置状態チェック部および排出先制御部を有している。
【００５３】
ジョブ制御部は、画像形成部３４６への印刷ジョブの提供を制御しており、例えば、画像形成部３４６が印刷処理中でなければ、印刷ジョブを送信し、印刷処理中であれば、印刷ジョブをＨＤＤ３２４に記憶させる。記憶された印刷ジョブは、画像形成部３４６における印刷処理が完了すると、ＨＤＤ３２４から呼び出され、画像形成部３４６へ送信される。また、ジョブ制御部は、ユーザからの印刷中断指示があった場合に用紙の印刷を一時的に中断し、中断後の処理に関する問合わせ（継続、中断あるいは中止の選択）に基づいた制御を実行する。
【００５４】
装置状態チェック部は、後述のロック付きビンの空き状況を検出するために使用され、ロック付きビンが空いており、使用できる状態になっているかの使用可否を判断する。例えば、ロック付きビンのロックが解除されている場合、ロック付きビンが空いていると判断する。排出先制御部は、印刷中断指示が入力された場合、印刷された用紙の排紙先を後述の排出トレイからロック付きビンに切り替えて、印刷を再開する制御を実行する。
【００５５】
ネットワーク通信処理は、クライアント２００からの印刷ジョブを受信する処理および印刷装置３００の状態情報をクライアント２００に提供する処理を含んでいる。印刷装置３００の状態情報の提供は、例えば、ＲＦＣ１２１３で規定されているネットワーク管理手法ＳＮＭＰ（（Ｓｉｍｐｌｅ  Ｎｅｔｗｏｒｋ  Ｍａｎａｇｅｍｅｎｔ  Ｐｒｏｔｏｃｏｌ））のＭＩＢ（（Ｍａｎａｇｅｍｅｎｔ  Ｉｎｆｏｒｍａｔｉｏｎ  Ｂａｓｅ））−ＩＩのプライベートエリアが利用される。
【００５６】
通信インターフェース３２５は、所謂ＬＡＮボードからなる通信部であり、ネットワーク４００を経由してクライアント２００に接続し、データの送受信を実行するための通信機能を印刷装置３００に追加する拡張装置である。
【００５７】
原稿自動送り装置３４０は、積層された複数枚の原稿を、原稿台の所定の読み取り位置に、一枚ずつ搬送するために使用されるＡＤＦ（Ａｕｔｏ  Ｄｏｃｕｍｅｎｔ  Ｆｅｅｄｅｒ）である。
【００５８】
画像読取部３４２は、例えば、原稿台に載置される原稿から画像データを生成するためのＣＣＤ（Ｃｈａｒｇｅ  Ｃｏｕｐｌｅｄ  Ｄｅｖｉｃｅ）イメージセンサを備えているスキャナからなる。
【００５９】
給紙部３４４は、複数の給紙トレイ３４４Ａを有し、ユーザの手により予め挿入された各種の印刷用紙を保持しており、制御部３２１から指示された印刷用紙を給紙トレイ３４４Ａから取り出し、画像形成部３４６に向って搬送するために使用される。
【００６０】
画像形成部３４６は、帯電、露光、現像、転写および定着工程を含む電子写真式プロセス等の作像プロセスを用いて、記録媒体である用紙上に画像を形成するエンジンを有しており、画像読取部３４２からの画像データや、ＨＤＤ３２４に記憶されている画像データを、制御部３２１の指示により、印刷するために使用される。印刷（画像の形成）は、電子写真式プロセスを利用する形態に限定されない。
【００６１】
用紙排出部３４８は、画像形成部３４６から搬送される印刷された用紙を排紙するために使用され、排出トレイ３４８Ａおよびロック付きビン３４８Ｂを有する。排出トレイ３４８Ａは、排紙された用紙を取り出し自在に構成される容器である。ロック付きビン３４８Ｂは、排紙された用紙の取り出しを防止することができる容器である。なお、印刷中断指示が入力された場合、印刷された用紙の排紙先は、排出トレイ３４８Ａからロック付きビン３４８Ｂに切り替えられ、印刷中断指示の入力後におけるユーザの再度の認証が受理された場合、ロック付きビン３４８Ｂのロックは、解除される。
【００６２】
操作パネル部３６０は、タッチパネルおよびキーボードを有する。タッチパネルは、各種の指示（入力）をユーザが行うために使用される入力手段と、機器構成、プリントジョブの進行状況、エラーの発生状況、現在変更可能な設定などを、ユーザに提示するために使用される出力手段と、を兼ねている。タッチパネルに表示される画面には、残ページ処理選択画面、詳細選択画面、排紙先変更確認画面および印刷処理中断確認画面が含まれる。なお、ユーザが行う指示には、印刷中断指示が含まれる。
【００６３】
残ページ処理選択画面は、印刷中断指示の入力後に最初に表示される画面（図５参照）であり、残ページの処理として、排紙先を変更し印刷を継続するか、印刷ジョブを削除し印刷を中止するかの選択を、ユーザに要求するために（ユーザの選択を受け付けるために）使用される。
【００６４】
排紙先変更確認画面は、詳細選択画面において「ロック付きビンに出力」が選択され、かつ、空いているロック付きビンが検出された場合に表示される画面（図７参照）であり、排紙先がロック付きビンに変更されて、印刷が継続されることと、再度認証を行うと、ロック付きビンのロックが解除され、印刷結果を取り出せることを、ユーザに通知して確認させるために使用される。印刷処理中断確認画面は、詳細選択画面において「ロック付きビンに出力」が選択され、かつ、空いているロック付きビンが検出されない場合に表示される画面（図８参照）であり、ロック付きビンに空きが無いため、印刷が中断されること、再度認証を行うと、印刷が継続（中断箇所から再開）することを、ユーザに通知して確認させるために使用される。
【００６５】
なお、残ページ処理選択画面、詳細選択画面、排紙先変更確認画面および印刷処理中断確認画面の表示中において、印刷は一時的に中断される。
【００６６】
キーボードは、文字入力、各種設定、スタート指示などの各種指示（入力）をユーザが行うために使用される第２の入力手段であり、例えば、コピー枚数等を設定するテンキー、動作の開始を指示するスタートキー、動作の停止を指示するストップキー等からなる複数のキーを有している。
【００６７】
ＩＣカードリーダ３８０は、ＩＣカードリーダ２８０と略同一の構成を有しており、印刷装置３００を利用するユーザのＩＣカードに記憶されている認証情報を読み取るために使用される認証部であり、読み取られた認証情報が、クライアント２００から印刷ジョブを送信したユーザの認証情報と一致する場合、セキュリティ印刷が実行される。ＩＣカードは、セキュリティ印刷中、ＩＣカードリーダ３８０に挿入した状態で利用され、また、例えば、急用によりユーザが印刷装置３００から離れる必要が発生し、印刷を中断する場合は、ユーザが操作パネル部３６０を利用して印刷中断指示を入力した後で、ＩＣカードリーダ３８０から引き抜かれることになる。
【００６８】
ＩＣカードリーダ３８０は、印刷装置３００に一体化（内蔵）される形態に限定されず、別体として印刷装置３００の近傍に配置し、通信ケーブルによって接続することも可能である。
【００６９】
なお、ＩＣカードにパスワード情報が記憶されておらず、パスワード情報をクライアント２００の入力装置２６０を使用してユーザが直接入力するように構成される場合、パスワード情報は、ユーザによって操作パネル部３６０を利用して入力される。ＩＣカードを利用せず、クライアント２００の入力装置２６０を使用してユーザが直接入力したユーザ属性情報およびパスワード情報のみを認証に利用するように構成される場合、ユーザ属性情報およびパスワード情報は、ユーザによって操作パネル部３６０を利用して入力されるため、ＩＣカードリーダ３８０は不要となる。また、クライアント２００の入力装置２６０を使用してユーザが直接入力したパスワード情報のみを認証に利用するように構成される場合も、パスワード情報は、ユーザによって操作パネル部３６０を利用して入力されるため、ＩＣカードリーダ３８０は不要となる。
【００７０】
次に、セキュリティ印刷処理を詳述する。
【００７１】
図９Ａおよび図９Ｂは、本発明の実施の形態に係るセキュリティ印刷処理を説明するためのフローチャートである。なお、図９Ａおよび図９Ｂに示されるフローチャートにより示されるアルゴリズムは、ＨＤＤ３２４にプログラムとして記憶されており、制御部３２１によって実行される。
【００７２】
まず、クライアント２００からのセキュリティ印刷データが含まれる印刷ジョブが受信されると（ステップＳ０１）、ユーザ認証が実行される（ステップＳ０２）。ユーザ認証は、セキュリティ印刷データを作成したユーザが印刷装置３００の前に移動し、携帯したＩＣカードをＩＣカードリーダ３８０に挿入し、ＩＣカードリーダ３８０が読み取った認証情報が、印刷ジョブに含まれる認証情報と一致することにより、受理される。
【００７３】
ユーザ認証が受理されると、給紙部３４４の給紙トレイ３４４Ａから取り出された用紙が画像形成部３４６に供給され、セキュリティ印刷データの印刷が画像形成部３４６において開始される（ステップＳ０３）。印刷された用紙は、用紙排出部３４８の排出トレイ３４８Ａに順次排紙される（ステップＳ０４）。排出トレイ３４８Ａは、用紙を取り出し自在に構成されているが、ＩＣカードを携帯していたユーザが、印刷装置３００の前に待機しているため、印刷結果（出力された印刷物）を第三者に見られたり、第三者に盗まれたりすることはなく、セキュリティが確保される。
【００７４】
次に、印刷中断指示の入力の有無が判断される（ステップＳ０５）。印刷中断事由は、例えば、急用により印刷途中で印刷装置から離れる場合であり、印刷中断指示が入力されたと判断される場合（ステップＳ０５：Ｙｅｓ）、残ページ処理選択画面（図５参照）が操作パネル部３６０のタッチパネルに表示され、プロセスはステップＳ０７に進む。印刷中断指示が入力されていないと判断される場合（ステップＳ０５：Ｎｏ）、全ページの印刷が終了したか否かが判断される（ステップＳ０６）。なお、残ページ処理選択画面の表示中において、印刷は一時的に中断される。
【００７５】
全ページの印刷が終了したと判断される場合（ステップＳ０６：Ｙｅｓ）、プロセスは終了する。全ページの印刷が終了していないと判断される場合（ステップＳ０６：Ｎｏ）、プロセスは、ステップＳ０５にリターンする。
【００７６】
ステップＳ０７においては、印刷を中止するか否かが判断される。残ページ処理選択画面に表示される「中止する」がタッチされ、印刷を中止すると判断される場合（ステップＳ０７：Ｙｅｓ）、プロセスは終了する。これにより、処理途中の印刷ジョブは削除され、残ページのデータ（未印刷の画像データ）は廃棄される。
【００７７】
残ページ処理選択画面に表示される「排紙先を変更し継続する」がタッチされ、印刷を中止しないと判断される場合（ステップＳ０７：Ｎｏ）、空いている（使用できる状態にある）ロック付きビン３４８Ｂが検出されるか否かが判断される（ステップＳ０８）。
【００７８】
空いているロック付きビン３４８Ｂが検出されないと判断される場合（ステップＳ０８：Ｎｏ）、印刷処理中断確認画面（図８参照）が操作パネル部３６０のタッチパネルに表示され、プロセスはステップＳ１５に進む。空いているロック付きビン３４８Ｂが検出されたと判断される場合（ステップＳ０８：Ｙｅｓ）、詳細選択画面（図６参照）が操作パネル部３６０のタッチパネルに表示され、ロック付きビン出力が選択されたか否かが判断される（ステップＳ０９）。なお、印刷処理中断確認画面および詳細選択画面の表示中において、印刷は一時的に中断される。
【００７９】
残詳細選択画面に表示される「中断」がタッチされ、ロック付きビン出力が選択されなかったと判断される場合（ステップＳ０９：Ｙｅｓ）、印刷処理中断確認画面が操作パネル部３６０のタッチパネルに表示され、プロセスはステップＳ１５に進む。
【００８０】
残詳細選択画面に表示される「ロック付きビンに出力」がタッチされ、ロック付きビン出力が選択されたと判断される場合（ステップＳ０９：Ｙｅｓ）、排紙先変更確認画面（図７参照）が操作パネル部３６０のタッチパネルに表示され、排紙先をロック付きビンに切り替えられる（ステップＳ１０）。切り替えは、排紙先変更確認画面に表示される「ＯＫ」がタッチされた後で実行される。なお、排紙先変更確認画面の表示中において、印刷は一時的に中断される。
【００８１】
切り替え後に印刷された用紙は、用紙排出部３４８のロック付きビン３４８Ｂに順次排紙され（ステップＳ１１）、全ページの印刷が終了するまで、印刷された用紙の排紙が繰返される（ステップＳ１２）。この際、セキュリティ印刷処理を指示したユーザは印刷装置３００の前に待機しておらず、印刷装置３００から離れているが、印刷された用紙は、ロック付きビン３４８Ｂに排紙されるため、印刷結果（残ページ）を第三者に見られたり、第三者に盗まれたりすることはなく、セキュリティが確保される。
【００８２】
全ページの印刷が終了したと判断される場合（ステップＳ１２：Ｙｅｓ）、再度のユーザ認証が実行されるまで、プロセスは待機する（ステップＳ１３）。例えば、急用を済まして印刷装置３００の前に戻ってきたユーザによって、携帯しているＩＣカードがＩＣカードリーダ３８０に挿入されて、ユーザ認証が受理されると（ステップＳ１３：Ｙｅｓ）、ロック付きビン３４８Ｂのロックが解除される。
【００８３】
これにより、ユーザは、セキュリティを確保しつつ、中断された印刷の再開から印刷結果を取得するまでの待ち時間を削減することが可能である。つまり、印刷中断指示の入力からユーザの再度の認証までの中断期間においも、印刷は継続されているため、ユーザの再度の認証後に印刷を再開する場合に比較し、印刷結果を取得するまでの待ち時間を削減することができる。また、印刷中断指示の入力後において印刷された用紙は、ロック付きビンに排紙されるため、セキュリティが確保される。
【００８４】
一方、ステップＳ１５においては、印刷が中断され、残ページのデータ（未印刷の画像データ）は廃棄されることなく、保持される。つまり、印刷途中の印刷ジョブは装置内に保存された状態になっており、何枚目まで印刷が終了したかの情報が記録されている。印刷の中断は、印刷処理中断確認画面に表示される「ＯＫ」がタッチされた後で実行される。その後、再度のユーザ認証が実行されるまで、プロセスは待機する（ステップＳ１６）。
【００８５】
そして、印刷装置３００の前に戻ってきたユーザによってユーザ認証が実行されると（ステップＳ１６：Ｙｅｓ）、中断したページから印刷が再開され（ステップＳ１７）、残ページの印刷が終了するまで、印刷された用紙は、用紙排出部３４８の排出トレイ３４８Ａに順次排紙される（ステップＳ１８）。排出トレイ３４８Ａは、用紙を取り出し自在に構成されているが、この際、ＩＣカードを携帯していたユーザが、印刷装置３００の前に待機しているため、印刷結果を第三者に見られたり、第三者に盗まれたりすることはなく、セキュリティが確保される。
【００８６】
なお、排紙先変更確認画面（図７参照）および印刷処理中断確認画面（図８参照）に「ＯＫ」欄を設けず、一定時間表示したら処理を開始するように構成したり、排紙先変更確認画面および印刷処理中断確認画面を省略し、直ちに処理を開始するように構成したりすることも可能である。
【００８７】
以上のように、本実施の形態においては、印刷中断指示が入力された場合、排紙先が切り替えられ後で用紙の印刷は継続される。つまり、印刷中断指示の入力からユーザの再度の認証までの中断期間においも、印刷は継続されているため、ユーザの再度の認証後に印刷を再開する場合に比較し、印刷結果を取得するまでの待ち時間を削減することができる。また、印刷中断指示の入力後において印刷された用紙は、ロック付きビンに排紙されるため、例えば、印刷結果を第三者に見られたり、第三者に盗まれたりすることはなく、セキュリティが確保される。したがって、セキュリティを確保しつつ、中断された印刷の再開から印刷結果を取得するまでの待ち時間を削減することが可能である印刷装置を提供することができる。
【００８８】
本発明は、上述した実施の形態に限定されるものではなく、特許請求の範囲で種々改変することができる。例えば、印刷装置は、ＭＦＰに限定されず、単機能の印刷装置に適用することも可能である。
【００８９】
ユーザ認証は、パスワードおよびＩＣカードを利用する形態に限定されず、ＵＳＢキーやユーザ固有の身体情報を適用することも可能である。ユーザ固有の身体情報は、指紋や虹彩等のバイオメトリクス情報である。また、ＰＫＩ（公開開鍵基盤：Ｐｕｂｌｉｃ  Ｋｅｙ  Ｉｎｆｒａｓｔｒｕｃｔｕｒｅ）を適用し、デジタル署名およびデジタル証明書によってユーザの身元について認証することも可能である。
【００９０】
なお、本発明に係る手段、方法およびプログラムは、専用のハードウェア回路によっても実現することも可能である。また、プログラムによって本発明を実現する場合、印刷装置を動作させるプログラムは、ＵＳＢメモリやＣＤ−ＲＯＭ（Ｃｏｍｐａｃｔ  Ｄｉｓｃ  Ｒｅａｄ  Ｏｎｌｙ  Ｍｅｍｏｒｙ）等のコンピュータ読み取り可能な記録媒体によって提供したり、記録媒体によらず、インターネット等のネットワークを介してオンラインで提供したりすることも可能である。この場合、プログラムは、通常、印刷装置のハードディスク等のランダムアクセス記憶装置に送信されて記憶される。また、プログラムは、単独のアプリケーションソフトウェアとして提供されてもよいし、印刷装置の一機能としてその印刷装置のソフトウェアに組み込むことも可能である。
【符号の説明】
【００９１】
１００  印刷システム、
２００  クライアント、
２２０  本体部、
２２１  制御部、
２２２  ＲＯＭ、
２２３  ＲＡＭ、
２２４  ハードディスク（ＨＤＤ）、
２２５  通信インターフェース、
２２６  バス、
２４０  ディスプレイ、
２６０  入力装置、
２８０  ＩＣカードリーダ、
３００  印刷装置、
３２１  制御部、
３２２  ＲＯＭ、
３２３  ＲＡＭ、
３２４  ハードディスク（ＨＤＤ）、
３２５  通信インターフェース、
３２６  バス、
３４０  原稿自動送り装置、
３４２  画像読取部、
３４４  給紙部、
３４４Ａ  給紙トレイ、
３４６  画像形成部、
３４８  用紙排出部、
３４８Ａ  排出トレイ、
３４８Ｂ  ロック付きビン、
３６０  操作パネル部、
３８０  ＩＣカードリーダ、
４００  ネットワーク。
【図１】
2012061686.tif 000003
【図２】
2012061686.tif 000004
【図３】
2012061686.tif 000005
【図４】
2012061686.tif 000006
【図５】
2012061686.tif 000007
【図６】
2012061686.tif 000008
【図７】
2012061686.tif 000009
【図８】
2012061686.tif 000010
【図９Ａ】
2012061686.tif 000011
【図９Ｂ】
2012061686.tif 000012